(57)【特許請求の範囲】
【請求項１】
一対の柄の一方の先端にレンジグリルの焼き網の線材間に挿入出来るような間隔の櫛歯状掬部を形成し、柄の他方の先端が板面で板面の両側面を立ち上げてあることを特徴とし、該一対の柄が接続されていることを特徴とする挟み具。
【請求項２】
一対の柄の一方の先端にレンジグリルの焼き網の線材間に挿入出来るような間隔の櫛歯状掬部を形成し、櫛歯の先端が載置部の延長線上に真っ直ぐ延びた形状であり、柄の他方の先端が板面で板面の両側面を立ち上げてあることを特徴とし、該一対の柄が接続されていることを特徴とする挟み具。
【請求項３】
一対の柄の一方の先端にレンジグリルの焼き網の線材間に挿入出来るような間隔の櫛歯状掬部を形成し、柄の他方の先端が板面で板面の両側面を立ち上げ、汁導出孔を設けた挟み具であり、該一対の柄が接続されていることを特徴とする挟み具。
【請求項４】
一対の柄の先端に各々レンジグリルの焼き網の線材間に挿入出来るような間隔の櫛歯状掬部を形成し、該櫛歯状掬部の基部を略S字状に曲げて形成し、一対の櫛歯状掬部がそれぞれ同一形状、又は相似形状で同一方向に重なるように形成したことを特徴とした挟み具であり、該一対の柄が接続されていることを特徴とする挟み具。
【請求項５】
一対の柄の先端に各々レンジグリルの焼き網の線材間に挿入出来るような間隔の櫛歯状掬部を形成し、該櫛歯状掬部の基部を略L字状に曲げて形成し、一対の櫛歯状掬部がそれぞれ同一形状、又は相似形状で同一方向に重なるように形成したことを特徴とした挟み具であり、該一対の柄が接続されていることを特徴とする挟み具。
【発明の詳細な説明】
【技術分野】
【０００１】
本発明は、一対の柄の一方の先端にレンジグリルの焼き網の線材間に挿入出来るような間隔の櫛歯状掬部を形成し、柄の他方の先端が板面で板面の両側面を対向面に対して立ち上げた挟み具であり、又、櫛歯の先端が載置部の延長線上に真っ直ぐ延びた形状になっているため、レンジグリルで焼いた調理物をはじめ煮魚も鍋から挟み上げやすく、フライパンでの調理物も挟み上げるのが容易で、フライパンなどで細かな材料、例えば小さく刻んだ野菜を炒めた場合、又、卵・肉などのそぼろを作った場合、板面を下面にして使用すれば板面の側面が対向面に対して立ち上げてあるため側面からこぼれ落ちることなく器に移す事ができ、又、板面の両側面を立ち上げ、汁導出孔を設けた場合は調理物のみ取り出す事が出来る。又、一対の柄の先端に各々レンジグリルの焼き網の線材間に挿入出来るような間隔の櫛歯状掬部を形成し、該櫛歯状掬部の基部を略S字状に曲げて形成し、櫛歯の先端が載置部の延長線上に真っ直ぐ延びた形状であり、一対の櫛歯状掬部がそれぞれ同一形状、又は相似形状で同一方向に重なるように形成したことを特徴とした挟み具の場合、焼き物を挟みひっくり返したり、煮魚を鍋から器に移したり、IHクッキングヒーターでの調理物例えばピザ、グラタン、器を用いた料理などにも幅広く利用でき、様々な料理に対応でき、又、一対の柄の先端に各々レンジグリルの焼き網の線材間に挿入出来るような間隔の櫛歯状掬部を形成し、該櫛歯状掬部の基部を略L字状に曲げて形成し、櫛歯の先端が載置部の延長線上に真っ直ぐ延びた形状であり、一対の櫛歯状掬部がそれぞれ同一形状、又は相似形状で同一方向に重なるように形成したことを特徴とした挟み具の場合、焼き物を挟みひっくり返したり、煮魚を鍋から器に移したり、IHクッキングヒーターでの調理物例えばピザ、グラタン、器を用いた料理などにも幅広く利用でき、様々な料理に対応できる挟み具に関する。
【背景技術】
【０００２】
調理用挟み具は種種提案されているが、例えば、実開昭６３−６４３３０号公報に開示された「調理用具」は、挟持体がお互い向かい合う形で円弧状に形成された調理用具である。
【０００３】
又、特開平０９−０６５９８９号公報に開示された「はさみ具」は、すくい板ですくった被挟持物を上方から押さえ込む形状で、押さえ板の先端縁が、すくい板の先端縁に合致せず、すくい板の途中中間位置上に位置するように構成されたことを特徴とするはさみ具である。
【特許文献１】実開昭６３−６４３３０号公報
【特許文献２】特開平０９−０６５９８９号公報
【発明の開示】
【発明が解決しようとする課題】
【０００４】
前記実開昭和６３−６４３３０号公報記載の「調理用具」は、挟持体がお互い向かい合う形で円弧状に形成されており、上面と下面を合わせた時に挟持体内に空洞ができる。近年IHクッキングヒーターの普及によりあらゆる調理物がグリル内で出来るようになり、例えばピザ、グラタン、ケーキなどの調理物、又、器を用いた調理物は挟み具の載置部が直線になっていなければ不安定で挟み上げた時落下する恐れがある。その上小さな魚、平たい魚、ちいさな焼き物は挟みづらく、また円弧状であることでグリルの水受け皿立ち上がり壁面に挟持体があたるため斜めにしか挿入することができず、真下から真上に挟み上げることができない。又、第４図の挟持体は三角突起が立設しているため柔らかい焼き物を突き刺す恐れがある。
【０００５】
第５図では、放射状になっており一見略S字になっているように見受けられるが、あくまで補強かんまでで、グリルの焼き網の間に挿入出来るのは中央部に端線から端線に向かって補強かんの横線が入っている部分から先端にかけての部分だけであり、挿入出来る補強かんから先端にかけて略S字に形成されていないため水受け皿側面に挟持体があたり焼き物を真下から真上に挟み上げることが出来ない。
【０００６】
また、特開平成０９−０６５９８９号公報記載の「はさみ具」はすくい板の基部側に上方に向けて突出したハンドル取付部を設け、このハンドルに折り返し状態に設けた揺動ハンドルの下端に、ハンドルと揺動ハンドルを握持して下降させることですくい板ですくった被挟持物を上方から押さえ込む押さえ板を設けたはさみ具であって各すくい板の先端側に複数本のフォーク歯を並設し、すくい板ですくった被挟持物を上方から押さえ込む押さえ板の先端縁が、すくい板の先端縁に合致せず、すくい板の途中中間位置上に位置するように構成されたことを特徴とするはさみ具である。
【０００７】
また、グリルの焼き網の間に挿入することを想定していないためフォーク歯が焼き網の間隔に合わず、挿入することが出来ない。また各すくい板の先端が合致しないため上手に焼き物、特に小さいものははさむことが出来ない欠点がある。
本発明は、これ等の欠点を解消した挟み具を提供することを目的とする。
【課題を解決するための手段】
【０００８】
本発明は前記目的に添うため、一対の柄の一方の先端にレンジグリルの焼き網の線材間に挿入出来るような間隔の櫛歯状掬部を形成し、柄の他方の先端が板面で板面の両側面を対向面に対して立ち上げた挟み具であり、又、櫛歯の先端が載置部の延長線上に真っ直ぐ延びた形状になっているため、レンジグリルで焼いた調理物をはじめ煮魚も鍋から挟み上げやすく、フライパンでの調理物も挟み上げるのが容易で、フライパンなどで細かな材料、例えば小さく刻んだ野菜を炒めた場合、又、卵・肉などのそぼろを作った場合、板面を下面にして使用すれば板面の側面が対向面に対して立ち上げてあるため側面からこぼれ落ちることなく器に移す事ができ、又、板面の両側面を立ち上げ、汁導出孔を設けた場合は調理物のみ取り出す事が出来る。又、一対の柄の先端に各々レンジグリルの焼き網の線材間に挿入出来るような間隔の櫛歯状掬部を形成し、該櫛歯状掬部の基部を略S字状に曲げて形成し、櫛歯の先端が載置部の延長線上に真っ直ぐ延びた形状であり、一対の櫛歯状掬部がそれぞれ同一形状、又は相似形状で同一方向に重なるように形成したことを特徴とした挟み具の場合、櫛歯状掬部の基部を各々略S字状に形成することでレンジグリルの水受け皿立ち上がり壁面のなす凸部と櫛歯の略S字形部凹部が合わさり、完全に焼き網の間に挿入することが出来、焼き物を真下から真上へ真っ直ぐ挟み上げることが出来る為、水分を含んだ焼き物も水分を床に落とすことなく器に移すことが出来る。又、同一方向に重なることでどんな小さな焼き物も簡単に挟みひっくり返すことが出来、煮魚も鍋から挟み上げることで器に移しやすい、サラダも載置部が湾曲になっていないため、薄い食材や細い食材も容易に挟み上げ器に移すことが出来る。又、近年普及したIHクッキングヒーターでの調理物例えばピザ、グラタン、器を用いた料理などにも幅広く利用でき、様々な料理に対応できる。又、一対の柄の先端に各々レンジグリルの焼き網の線材間に挿入出来るような間隔の櫛歯状掬部を形成し、該櫛歯状掬部の基部をレンジグリルの水受け皿側壁上端のなす凸部に櫛歯状掬部が当たらないように略L字状に曲げて形成し、櫛歯の先端が載置部の延長線上に真っ直ぐ延びた形状であり、一対の櫛歯状掬部がそれぞれ同一形状、又は相似形状で同一方向に重なるように形成したことを特徴とした挟み具の場合、焼き物を挟みひっくり返したり、煮魚を鍋から器に移したり、IHクッキングヒーターでの調理物例えばピザ、グラタン、器を用いた料理などにも幅広く利用でき、様々な料理に対応できる挟み具に関する。
【発明の効果】
【０００９】
本発明は、以下の記載されるような効果を奏する。
挟み具は種種提案されているが、サラダ、煮物などは挟むことは出来ても、レンジグリルの焼き網に挿入することは出来なかった。本発明の挟み具は上下一対に形成された挟み具であって、一対の柄の一方の先端にレンジグリルの焼き網の線材間に挿入出来るような間隔の櫛歯状掬部を形成し、柄の他方の先端が板面で板面の両側面を対向面に対して立ち上げた挟み具であり、又、櫛歯の先端が載置部の延長線上に真っ直ぐ延びた形状になっているため、レンジグリルで焼いた調理物をはじめ煮魚も鍋から挟み上げやすく、フライパンでの調理物も挟み上げるのが容易で、フライパンなどで細かな材料、例えば小さく刻んだ野菜を炒めた場合、又、卵・肉などのそぼろを作った場合、板面を下面にして使用すれば板面の側面が対向面に対して立ち上げてあるため側面からこぼれ落ちることなく器に移す事ができ、又、板面の両側面を立ち上げ、汁導出孔を設けた場合は調理物のみ取り出す事が出来る。又、一対の柄の先端に各々レンジグリルの焼き網の線材間に挿入出来るような間隔の櫛歯状掬部を形成し、該櫛歯状掬部の基部を略S字状に曲げて形成し、櫛歯の先端が載置部の延長線上に真っ直ぐ延びた形状であり、一対の櫛歯状掬部がそれぞれ同一形状、又は相似形状で同一方向に重なるように形成したことを特徴とした挟み具の場合、櫛歯状掬部の基部を各々略S字状に形成することでレンジグリルの水受け皿立ち上がり壁面のなす凸部と櫛歯の略S字形部凹部が合わさり、完全に焼き網の間に挿入することが出来、レンジグリルで焼いた魚を挟み具の下面で掬いあげ、上面で抑えて挟みあげることで焼き魚をレンジグリルの焼き網の上で反転させ、両面に焼き目をつけることができる。又、焼き物を真下から真上へ真っ直ぐ挟み上げることが出来る為、水分を含んだ焼き物も水分を床に落とすことなく器に移すことが出来る。又、同一方向に重なることで一対の柄の握り加減で被挟持体の嵩が肉厚でも肉薄でもどんな小さな焼き物も簡単に挟みひっくり返すことが出来、煮魚も鍋から挟み上げることで器に移しやすい、サラダも載置部が湾曲になっていないため、薄い食材や細い食材も容易に挟み上げ器に移すことが出来る。又、近年普及したIHクッキングヒーターでの調理物例えばピザ、グラタン、器を用いた料理などにも幅広く利用できる。又、一対の柄の先端に各々レンジグリルの焼き網の線材間に挿入出来るような間隔の櫛歯状掬部を形成し、該櫛歯状掬部の基部をレンジグリルの水受け皿側壁上端のなす凸部に櫛歯状掬部が当たらないように略L字状に曲げて形成し、櫛歯の先端が載置部の延長線上に真っ直ぐ延びた形状であり、一対の櫛歯状掬部がそれぞれ同一形状、又は相似形状で同一方向に重なるように形成したことを特徴とした挟み具の場合、焼き物を挟みひっくり返したり、フライパンでの調理物を挟んでひっくり返したり、煮魚を鍋から器に移したり、IHクッキングヒーターでの調理物例えばピザ、グラタン、器を用いた料理などにも幅広く利用でき、様々な料理に対応できる挟み具であり、今まで挟みづらかった欠点を解消させたものである。
【発明を実施するための最良の形態】
【００１０】
本発明の実施例を図面に基づいて説明する。
図１は、平面図である。
柄３aの一端にグリルの焼き網の線材間に挿入出来るような間隔の櫛歯状掬部２aを柄３aの軸線と同方向に形成し、同形のものを上下一対に重ねた場合を例示したものである。櫛歯状の先端部分は被挟持物を傷つけないように曲線４aに形成している。
上記のように上下一対に形成された挟み具は、一対の柄３a、３aの他端部が接続されていて、グリルで焼いた魚を挟み具の下面で掬いあげ、上面で抑えて脱落を防止する。
【００１１】
このとき櫛歯状掬部２a、２aは重なるように形成しているので、一対の柄３a、３aの握り加減で被挟持体の嵩が肉厚でも薄肉でも、また煮魚、サラダなどを一対の櫛歯状掬部２a、２a間から滑落させることなく、適宜に調節して容易に挟むことができる。
【００１２】
また、焼き魚の両面に焼き目を付けたい場合は、掬い上げて挟持した魚を焼き網の上で反転させ、櫛歯状掬部２aの下面を焼き網の隙間からそのまま下方に下ろせば、魚が焼き網の上に残り、損傷することなく両面に焼き目をつけることができる。
【００１３】
図２は、斜視図である。
両端に焼き網の線材間に挿入出来る間隔の櫛歯状掬部２a、２aを設け、該櫛歯状掬部２aと連続した柄３a、３aを中央部より折曲７aして、他端の櫛歯状掬部２aが上下重なるように形成したものである。
この実施例によれば、一対の柄３a、３aは弾性を有して挟むことができるので、櫛歯状掬部２a、２aの重なり加減を調節しやすいという効果が得られる。
【００１４】
図３は、請求項４記載の実施例を示した斜視図である。
一対の柄３a、３aの先端に各々グリルの焼き網の線材間に挿入出来る間隔の櫛歯状掬部２a、２aを形成し、該櫛歯状掬部２a、２aの基部を略Ｓ字状６a、６aに曲げて形成し、一対の櫛歯状掬部２a、２aがそれぞれ同一形状、又は相似形状で同一方向に重なり、柄の中央部より折曲７aしたものである。
略Ｓ字状部６a、６aの成す凹部が、グリルの焼き網の水受け皿側壁上端の成す凸部にうまく重なり合うため、水受け皿側壁が邪魔にならず、下面の櫛歯状掬部２aを焼き網の真下に挿入することで焼き物を真下から真上へ真っ直ぐ挟み上げることが出来るという効果がえられる。
【００１５】
図４は、側面図である。
一対に形成した櫛歯状掬部２a、２aの少なくとも片方の裏面先端に滑り止め加工５aを施したものである。図面では滑り止め手段として凹凸面に加工した滑り止め部５aを設けているが、耐熱性滑り止めシートを貼着してもよい。
【００１６】
図５は、請求項４記載の実施例を示す側面図である。
一対の柄３a、３aの先端に各々レンジグリルの焼き網の線材間に挿入出来る間隔の櫛歯状掬部２a、２aを形成し、少なくとも一対の柄の他方の裏面先端に滑り止め加工５aを施し、櫛歯状掬部２a、２a基部を略Ｓ字状６a、６aに曲げて柄３a、３aを中央より折曲７aさせ、柄３a、３aの握り加減で被挟持体を容易に挟むことができる。
【００１７】
図６は、上下一対に形成された挟み具１a、１a片面１a裏面図である。
櫛歯状掬部２a裏面先端に滑り止め手段として凹凸面に加工した滑り止め部５aを設け、被挟持体が肉厚でも肉薄でも、また煮魚、サラダなども滑落することなく容易に挟むことができる。又、滑り止め手段として耐熱性滑り止めシートを貼着してもよい。
【００１８】
図７は、請求項４記載の挟み具で、鍋から煮魚を取り出す使用状態を示す斜視図である。
【００１９】
図８は、請求項４記載の挟み具であって、レンジグリルの焼き網に挿入した使用状態を示す斜視図である。
【００２０】
図９は、請求項５記載の実施例を示す斜視図である。
一対の柄体３b、３bの中央部より折曲７aし、柄体の先端に各々レンジグリルの焼き網の間に挿入出来るような間隔の櫛歯状掬部２b、２bを形成し、櫛歯状先端部分は被挟持物を傷つけないよう曲線４b、４bに形成し、櫛歯状掬部基部近傍を略Ｌ字状８b、８bに曲げ、水受け皿側壁上端のなす凸部に櫛歯状掬部が当たらないよう略Ｌ字状８b、８bに曲げ各々同一形状又は相似形状で同一方向に重なるようにしたことを特徴とした他の実施の形態にかかる挟み具斜視図である。
【００２１】
図１０は、請求項４記載の挟み具側面図である。
レンジグリルの焼き網の間に挿入出来るような間隔の櫛歯状掬部２b、２bを同一形状又は相似形状で同一方向に重なるように形成し、柄体３b、３bに弾性を有する別個の部材を介して接続してもよく、ピンとバネ材９を利用してもよいことを特徴とした他の実施の形態にかかる挟み具側面図である。
【００２２】
図１１は、挟み具斜視図である。
一対の柄の一方の先端にグリルの焼き網の線材間に挿入出来る間隔の櫛歯状掬部２cを形成し、柄の他方の先端に板面１０を設け、中央部で折曲７cした一対の柄３c、３cを形成し、板面１０載置部に汁導出孔１１を設けたものである。材質として金属体に限定するものではなく、耐熱樹脂素材例えばポリカーボネイトなどを使用してもよい。
【００２３】
一対の柄の一方の先端の櫛歯状掬部２cでレンジグリル内の焼き物を掬い上げることも出来、また、フライパンなどでの調理物も一対の柄の他方の先端に板面１０を使用することで簡単に掬い上げ、又挟み上げることが出来、簡単にひっくり返すことも出来る。又、一対の柄の一方の先端の櫛歯状掬部２cと一対の柄の他方の先端の板面１０の実質的面積は多少幅、長さとも同一でなくてもよい。
【００２４】
又、板面１０の形状にはこだわらず、縦の波状であれば調理物の油が落ちやすく、板面１０の両側面がいくぶん立ち上げてあれば板面１０で掬った細かな調理物も落とすことなく器に移すことが出来る。
【００２５】
又、図１０の実施例に示したように柄体に弾性を有する別個の部材を介して接続してもよく、ピンとバネ材９を利用してもよい。
【００２６】
請求項１記載の挟み具は、一対の柄の一方の先端にレンジグリルの焼き網の線材間に挿入出来るような間隔の櫛歯状掬部を形成し、柄の他方の先端が板面で板面の両側面を立ち上げ、柄が接続された挟み具であり、一対の柄の一方の先端に設けられた櫛歯状掬部を使用すればレンジグリル内の調理物を挟み上げることが出来、又、柄の他方の先端に設けられた側面を立ち上げた板面を用いればフライパンでの調理物例えば卵のそぼろ・肉ミンチのそぼろなども簡単に掬え、又、煮魚も鍋から挟み上げる事も容易に出来、フライパンでの様々の調理物にも対応できる。又、一対の柄の一方の先端にレンジグリルの焼き網の線材間に挿入出来るような間隔の櫛歯状掬部と柄の他方の先端が板面で板面の両側面を立ち上げた板面との実質的面積は多少幅、長さとも同一でなくてもよい。
【００２７】
請求項２記載の挟み具は、一対の柄の一方の先端にレンジグリルの焼き網の線材間に挿入出来るような間隔の櫛歯状掬部を形成し、櫛歯の先端が載置部の延長線上に真っ直ぐ延びた形状であり、柄の他方の先端が板面で板面の両側面を立ち上げてあることを特徴とし、該一対の柄が接続されていることを特徴とする挟み具であり、櫛歯の先端が載置部の延長線上に真っ直ぐ延びた形状であることで載置部に障害物がなく平面的なピザ、器を用いた調理物もバランスを崩すことなく挟み上げることが出来る。又、一対の柄の一方の先端にレンジグリルの焼き網の線材間に挿入出来るような間隔の櫛歯状掬部と柄の他方の先端が板面で板面の両側面を立ち上げた板面との実質的面積は多少幅、長さとも同一でなくてもよい。
【００２８】
請求項３記載の挟み具は一対の柄の一方の先端にレンジグリルの焼き網の線材間に挿入出来るような間隔の櫛歯状掬部を形成し、柄の他方の先端が板面で板面の両側面を立ち上げ、汁導出孔を設けたことを特徴とし、該一対の柄が接続されていることを特徴とする挟み具であり、一対の柄の一方の先端に設けられた櫛歯状掬部を使用すればレンジグリル内の調理物を挟み上げることが出来、又、柄の他方の先端に設けられた側面を立ち上げた板面を用いれば調理物を挟み上げる際、調理物のみ挟み上げることが出来る。又、一対の柄の一方の先端にレンジグリルの焼き網の線材間に挿入出来るような間隔の櫛歯状掬部と、柄の他方の先端が板面で板面の両側面を立ち上げ、汁導出孔を設けた板面との実質的面積は多少幅、長さとも同一でなくてもよい。
【図面の簡単な説明】
【００２９】
【図１】一対に形成された挟み具平面図である。
【図２】一対に形成された挟み具斜視図である。
【図３】一対に形成された挟み具であり櫛歯状掬部の基部に略Ｓ字状部を設けた斜視図である。
【図４】一対に形成された挟み具側面図である。
【図５】一対に形成された挟み具であり櫛歯状掬部の基部に略Ｓ字状部を設けた側面図である。
【図６】一対に形成された挟み具裏面図である。
【図７】鍋から魚をとりだす使用状態を示す斜視図である。
【図８】グリルに挟み具を挿入した使用状態を示す斜視図である。
【図９】一対に形成された挟み具であり櫛歯状掬部の基部に略Ｌ字状部を設けた他の実施の形態にかかる挟み具斜視図。
【図１０】ピンとバネ材を用いた接続部からなる上下一対に形成された挟み具であり他の実施の形態にかかる挟み具側面図である。
【図１１】一対に形成された挟み具であり一端に櫛歯状掬部を形成し、他端に板面を形成させた斜視図である。
【符号の説明】
【００３０】
１a、１b、１c・・・・・挟み具
２a、２b、２c・・・・・櫛歯状掬部
３a、３b、３c・・・・・柄
４a、４b、４c・・・・・曲線
５a、５b ・・・・・・・滑り止め部
６a、６b ・・・・・・・略Ｓ字状部
７a、７b、７c・・・・・折曲部
８ ・・・・・・・・・・略Ｌ字状部
９ ・・・・・・・・・・ピンとバネ材を用いた接続部
１０ ・・・・・・・・・板面
１１ ・・・・・・・・・汁導出孔
【図１】
0003848349.tif 000002
【図２】
0003848349.tif 000003
【図３】
0003848349.tif 000004
【図４】
0003848349.tif 000005
【図５】
0003848349.tif 000006
【図６】
0003848349.tif 000007
【図７】
0003848349.tif 000008
【図８】
0003848349.tif 000009
【図９】
0003848349.tif 000010
【図１０】
0003848349.tif 000011
【図１１】
0003848349.tif 000012